(57)【要約】【課題】  本発明は、相手待ち時間のイライラを解消するばかりでなく地域等の情報を耳にすることができて、さらに電話料金等を引下げられるようにした電話中継基地による通話呼出し信号発信中の音声コマーシャル方法とそのシステムを新規に提供するものである。【解決手段】  本発明は電話器による通話のため電話中継基地を通して相手側の電話器に呼出し信号を送信し、相手側が該呼出し信号を受信して通話が開始されるまでの間、該電話中継基地に別途形成する送信装置より呼出し信号送信側の電話器に音声コマーシャルを送信して、呼出し信号送信側に生じていた通話開始までの沈黙を含む待ち時間を解消するとともに有益な情報が送信されるようにし、しかも該音声コマーシャルの受信分において通話料金等の軽減、または特典等が付与されるようにしたことを特徴とする電話中継基地による通話呼出し信号送信中の音声コマーシャル方法とそのシステムにある。【選択図】  図１
2008099063.tif 000002
【特許請求の範囲】
【請求項１】
電話器による通話のため電話中継基地を通して相手側の電話器に呼出し信号を送信し、相手側が該呼出し信号を受信して通話が開始されるまでの間、該電話中継基地に別途形成する送信装置より呼出し信号送信側の電話器に音声コマーシャルを送信して、呼出し信号送信側に生じていた通話開始までの沈黙を含む待ち時間を解消するとともに有益な情報が送信されるようにし、しかも該音声コマーシャルの受信分において通話料金等の軽減、または特典等が付与されるようにしたことを特徴とする電話中継基地による通話呼出し信号送信中の音声コマーシャル方法。
【請求項２】
音声コマーシャルは呼出し信号の送信側地域または該地域に近い情報を含んで送信する請求項１に記載の電話中継基地による通話呼出し信号送信中の音声コマーシャル方法。
【請求項３】
音声コマーシャルは呼出し信号の送信から通話開始までの不特定の短い時間内において完結するように構成し、多種多様の音声コマーシャルを輪番送信する請求項２に記載の電話中継基地による通話呼出し信号送信中の音声コマーシャル方法。
【請求項４】
電話中継基地に、音声コマーシャルの受信契約を登録する契約電話器データベースと、スポンサーの提供する音声コマーシャルを契約電話器に送信する送信装置とおよび音声コマーシャルの配信回数等を付随データとともに蓄積するコマーシャルデータベースを設けるとともに、呼出し信号の送信側電話器が前記の契約電話器であるか否かを契約電話データベースと照合して瞬時に確認する識別手段と、音声コマーシャルを送信するためのコマーシャル抽出手段と、抽出された音声コマーシャルが複数あるときに該コマーシャル群に輪番順を付与する輪番付与手段と、送信した音声コマーシャルの送信回数をカウントして指定回数を満了した音声コマーシャルを前記コマーシャルデータベースから削除する回数管理手段と、音声コマーシャルの送信を受けた回数に応じて契約電話器の通話料の値下げ，特典を付与する特典付与手段とを備え、契約電話器より通話のため呼出し信号を相手側電話器に送信し、相手側が受信して通話が開始されるまでの間、電話中継基地より該呼出し信号の送信電話器側に音声コマーシャルを送信するようにしたことを特徴とする電話中継基地による音声コマーシャルシステム。
【発明の詳細な説明】
【技術分野】
【０００１】
本発明は、電話による通話の呼出し信号の送信中を利用した音声コマーシャル方法およびそのシステムに関し、詳しくは相手側が呼出し信号を受信して通話が開始されるまでの間、電話中継基地より該呼出し電話器側に音声コマーシャルを送信するようにしたコマーシャル方法およびそのシステムに関するものである。
【背景技術】
【０００２】
従来、電話回線を用いて相手方と電話する際は、電話器より相手方に呼出し信号を送信し、相手側が受信することで通話が開始されるが、呼出し信号の送信から通話が開始されるまでの間、呼出し電話器側は相手が出るのを待つだけなので、長くなるほどにイライラすることがある。特開２００１−２５７８１１号公報は文字，画像によるコマーシャルメッセージを通話終了後のディスプレイに表示し、また呼出しから通話が終わるまで文字，画像のコマーシャルメッセージをディスプレイに表示することを記載している。
【特許文献１】特開２００１−２５７８１１号公報
【発明の開示】
【発明が解決しようとする課題】
【０００３】
呼出し信号を送信してから相手側が受信して通話が開始されるまでの間が長くなるほどに送信側はイライラが強まることがあって好ましくないという課題があった。前記した公報のように文字，画像のコマーシャルをディスプレイに表示するとしても、電話は通話に集中するために、文字，画像のすべてを見るには至らないという課題がある。
従って、文字，画像のコマーシャルは広告効果があがらないために電話料金等の引き下げを期待することができないという課題がある。
【課題を解決するための手段】
【０００４】
本発明は、電話回線を用いて相手側の電話器に呼出し信号を送信し、相手側が該呼出し信号を受信して通話が開始されるまでの間、すなわち呼出し信号送信中の間、呼出し信号送信側の電話器側に電話中継基地より音声コマーシャルを送信するようにして、呼出し信号送信側に生じていた通話が開始されるまでの沈黙時間を解消するとともに、地域等の情報を知得することができるようにし、しかも音声コマーシャルの受信により、電話料金等を引下げられるようにして、かかる課題を解決するようにしたのである。
【発明の効果】
【０００５】
本発明は、電話器による呼出し信号の送信中、呼出し電話器側は電話中継基地より地域情報などの音声コマーシャルの送信を受けることとなるので、呼出し信号の送信側は通話開始までの間の沈黙，待ち時間がなくなるほか、地域情報等を得ることができて、長く待つことによって生じていたイライラ等が解消するという効果を生ずる。音声コマーシャルは電話器より直接耳に到達することとなるので確実な広告伝達がもたらされるという効果を生ずる。さらに音声コマーシャルは地域情報等興味ある情報を送信することで、送信，受信の双方に大きなメリットが期待できることになるという効果を生ずる。
【０００６】
音声コマーシャルのスポンサーは、広告効果が大きいことで営業活動等が活発になるという効果を生ずる。
【０００７】
電話中継基地は音声コマーシャルの送信契約をした電話器にのみ音声コマーシャルを送信することで、公益と秩序が保たれるという効果を生ずる。
【発明を実施するための最良の形態】
【０００８】
本発明は、電話器より電話回線を用いて通話のため電話中継基地を通して相手側の電話器に呼出し信号を送信し、相手側が該呼出し信号を受信して通話が開始されるまでの間、すなわち呼出し信号の送信中、該中継基地において別途形成する送信装置より受信契約した呼出し信号の送信電話器に音声コマーシャルを送信するようにして、呼出し信号送信側に生じていた通話が開始されるまでの沈黙の待ち時間、イライラを解消するとともに有益な情報を耳にすることができるようにし、しかも該音声コマーシャルの送信分において通話料金等の軽減、または特典等が得られるようにしたのである。音声コマーシャル送信中も相手側には引続き呼出し信号が送信されている。
【実施例１】
【０００９】
電話中継基地１と電話回線にてつながる多数の電話器２は、呼出し信号の送信中、音声コマーシャルを受信するという送受信契約をしてその旨を電話中継基地１に登録する。登録にかえて例えば電話番号の前に特定の契約番号を付すなどして音声コマーシャルを受信可能にすることもできる。音声コマーシャルの配信を希望するスポンサーは電話交換基地１と契約し、音声コマーシャルを電話中継基地１に提供することとなる。電話中継基地１は別途音声コマーシャルを電話器２に送信する送信装置を備えるのである。
【００１０】
図２のフローチャートに示すように、通話のため電話器２より相手側の電話器２に呼出し信号を送信すると電話中継基地１は当該送信電話器２が音声コマーシャルの契約電話器か否かを識別手段によって瞬時に判断し、契約有りと判断したときは送信電話器側に呼出し信号送信中の間、別途設備した送信装置より音声コマーシャルを送信するのである。
【００１１】
この際、相手側の電話器２には呼出し信号が妨げられることなく送信されていて、該呼出し信号を受信して応ずることで通話開始となる。音声コマーシャルの送信は通話の開始にて終了する。この音声コマーシャルは呼出し信号の送信中という不特定の短い時間内に送信されることを考慮して、単語の連呼形など短いフレーズの完結形にして尻切れにならないように極力留意する。
【００１２】
音声コマーシャル受信契約をした契約電話器２は、あらかじめ基本料金の割引きなどの経済的利益を受けられるものとする。これによって音声コマーシャルの契約電話器の加入数を拡大することが期待できることとなる。なお音声コマーシャルの送信を１つ受ける毎の通話料の値下げ、またはサービスポイントの加算などの特典付与制度を採用するときは、相手側の出ない空電話を掛け続けることによって不正な受益を得ることを防止するために一定時間以上の呼出し時間が経過したら特典の付与が自動的にキャンセルされるようにするなどの不正対策手段を講ずることもある。なお契約のない電話器２ａからの呼出し信号送信の場合は、音声コマーシャルの送信はない。以上により音声コマーシャルををみだりに送信するおそれはなく公益と秩序が保たれることとなる。
【実施例２】
【００１３】
表１は特定地域への配信希望の音声コマーシャルが複数個ある場合の配信例を示す配信表で、例えば図３において発信電話器の地域をＡ，Ｂ，Ｃに限定した例について説明する。Ａ地域に１０００回配信することを希望するＣＭ１、Ｂ地域に１０００回配信希望のＣＭ２、Ｃ地域に１５００回配信希望のＣＭ３、Ａ地域とＢ地域に各１０００回配信希望のＣＭ４、Ａ地域に５００回配信希望のＣＭ５のような音声コマーシャルが複数存在する場合、コマーシャルデータベースから前記のＣＭ１〜ＣＭ５の音声コマーシャルが抽出されると同時に輪番付与手段が各コマーシャルに付された配信希望地域，配信回数等のデータを読み取ってＣＭ群に瞬時に輪番を付し、Ａ地域の中の契約電話器２・ ・ ・から呼出しの送信があるごとに、ＣＭ１、ＣＭ４、ＣＭ５を順番に送信するのである。Ａ地域からの呼出し送信の間にＢ地域からの呼出し送信があるときは、Ｂ地域を指定するＣＭ２，ＣＭ４はＢ地域の電話器２にも送信されることとなる。Ｃ地域からの呼出し送信があったときはＣＭ３を送信するのである。
【００１４】
【表１】
2008099063.tif 000003
【００１５】
これらの送信回数は回数管理手段がそれぞれの送信回数を計算して管理し、Ａ地域向けのＣＭ５の５００回の送信が満了したときはＣＭ５をコマーシャルデータベースから削除し、以後Ａ地域にはＣＭ１とＣＭ４を回数が満了するまで交互に送信される。Ｂ地域の電話器２・・・には、ＣＭ２とＣＭ４を回数の満了するまで交互に送信し、Ｃ地域にはＣＭ３を１５００回の配信を満了するまで送信を繰返すのである。もしＣＭ１〜５のほかに期日指定などのＣＭがあるときはその優先順位等も含めて輪番を付与してそれぞれスポンサーの希望に添うよう公平に配信するように輪番が付与されることとなる。以上は地域Ａ，Ｂ，Ｃのみの限定にて説明したが、全地域Ａ，Ｂ，Ｃ，Ｄ・ ・ ・Ｘの場合も、対象となる音声コマーシャル群の数が増加するだけで、前記Ａ〜Ｃ地域に限定して説明したのと同様にして音声コマーシャルの抽出および輪番付与と回数管理がなされてそれぞれの配信回数が満了するまで各地域に送信されるのである。
【実施例３】
【００１６】
図４は契約電話器が携帯電話３の場合の実施例を示すもので、局番から発信地域を特定することのできない携帯電話器３の場合は、移動先の中継局４の付帯信号を識別することで、発信した携帯電話器３のある地域（図ではａ）を特定して、その地域を指定する音声コマーシャルを抽出して送信するのである。携帯電話器５がどこ（ｂ，ｃ，ｄ・・・x）に移動しても、その携帯電話器５の発信者は今居る地域の情報の送信を受けて耳にすることとなるので、発信者，スポンサーの双方にとってメリットの期待できる広告を行うことができることとなる。
【産業上の利用可能性】
【００１７】
本発明は、家庭用・事業用の固定電話器、携帯電話器のすべてを対象にして利用することができるものである。
【図面の簡単な説明】
【００１８】
【図１】電話中継基地と電話回線にてつながる電話器の説明図
【図２】フローチャート
【図３】送信電話器の地域の区別例を示す説明図
【図４】携帯電話器の例を示す説明図
【符号の説明】
【００１９】
１は電話中継基地
２は契約電話器
２ａは未契約電話器
３は携帯電話器
４は中継局
【図２】
2008099063.tif 000004
【図３】
2008099063.tif 000005
【図４】
2008099063.tif 000006
【図１】
2008099063.tif 000007